(57)【特許請求の範囲】
【請求項１】
筒状ボビン周りに巻回されたコイルが接続され、相手側端子部との電気的接続を行う導電性端子部と、該筒状ボビンの上側鍔部に配設されて該導電性端子部の軸部を保持する軸固定部の周りにモールド成形により樹脂剤が注入されてなる端子台本体とを備えた磁性部品の端子台において、
該導電性端子部は、前記相手側端子部との接続構造を有する上部のコネクタ部が、下部の前記軸部と、直交する前方向に突出し全体としてＬ字形状に形成され、前記コネクタ部の下端面と前記軸部の前側平面部との角部にＲがつけられてなり、
前記導電性端子部と前記端子台本体とは、該端子台本体が、前記コネクタ部突出側の前面において前記端子台本体の上面部から一段低くなるように段差が設けられて、該段差の前記端子台本体の上面部に続く前面に、前記導電性端子部の前記軸部の角部に続く前記軸部の前側平面部が露出し、この露出した前側平面部の側面および背面が前記端子台本体の注入された前記樹脂剤で覆われて一体的に形成されてなることを特徴とする磁性部品の端子台。
【請求項２】
前記軸部の前記露出する部分が、前記コネクタ部の下端面と前記軸部の表面とにより形成される角部、およびこの角部に続く平面部を含むことを特徴とする請求項１に記載の磁性部品の端子台。
【請求項３】
前記コネクタ部は、それぞれ、互いに離れる方向に弾性変形して、対応する相手側端子部を互いの間に挟む一対の挟み片を備えていることを特徴とする請求項１または２に記載の磁性部品の端子台。
【請求項４】
請求項１に記載の磁性部品の端子台のモールド成形に用いる金型装置であって、
上型と下型が接離移動する金型入れ子部材と、該金型入れ子部材の移動方向と直交方向に移動するスライド金型部材とで構成され、その内部に、上部のコネクタ部にＲがつけられた角部を介して下部の軸部とが連結して全体としてＬ字形状に形成された導電性端子部を、その軸部を上側鍔部の軸固定部に挿入保持した筒状ボビンとともに収容し、前記導電性端子部の軸部を含む前記軸固定部の周りに樹脂剤を注入して前記導電性端子部と端子台本体とを一体的にモールド成形するものであり、
前記端子台本体は前記コネクタ部突出側の前面において上面部から一段低くなるように段差を有し、該段差の前記端子台本体の上面部に続く前面に、前記導電性端子部の前記軸部の角部に続く前側平面部が露出し、この露出した前側平面部の側面および背面を前記端子台本体の注入された前記樹脂剤で覆うように成形するについて、前記スライド金型部材は、前記端子台本体の前記段差形状に対応する形状の金型面を有し、さらにこの金型面は前記導電性端子部の前記角部から軸部の露出した前記前側平面部に当接する押圧面を備え、前記コネクタ部の突出方向と平行な方向に往復動することを特徴とする金型装置。
【発明の詳細な説明】
【技術分野】
【０００１】
本発明は、例えば、車載用のソレノイド等の磁性部品の端子台、およびこの端子台を成形する金型装置に関し、詳しくは、クリップ端子等の導電性端子を支持してなる磁性部品の端子台、およびこの端子台を成形する金型装置に関するものである。
【背景技術】
【０００２】
車載用のソレノイド等の端子部としては、ボビンに巻回されたコイルを接続されるクリップ端子と、ボビンに取り付けられ、このクリップ端子の軸部を支持する軸固定部とからなるものが、従来より知られている（特許文献１を参照）。
【０００３】
このようなクリップ端子は、通常、弾性を有する１対の把持爪により、対応する外部部品の導電性端子を把持するようになっており、これによりソレノイドコイルと外部部品の導電性端子とを電気的に接続することができる。
このような磁性部品の端子部を組み立てる際には、各クリップ端子の軸部を軸固定部に締結具により取り付けたり、軸部を軸固定部の凹部に嵌入させたりして固定するようになっている。
【０００４】
しかし、このようにして各クリップ端子の軸部を軸固定部に締結具を用いて取り付けた場合には、端子部組立作業が煩雑となる。また、軸部を軸固定部の凹部に嵌入させて固定した場合には、把持爪に力が加わるとクリップ端子が軸固定部から抜けてしまう虞があり、また、軸部の軸固定部への挿入深さによってクリップ端子の高さ位置にバラつきが生じる虞がある。
このような問題を回避する方策として、クリップ端子を金型内に配置した状態で樹脂剤を金型内に注入するモールド成形（オーバーモールド成形、インサート成形；以下同じ）により端子部を一体的に形成する手法が考えられる。
【先行技術文献】
【特許文献】
【０００５】
【特許文献１】特開２０１４−４３９１５号公報
【発明の概要】
【発明が解決しようとする課題】
【０００６】
ところで、上述したようなモールド成形により端子部を形成する場合に、具体的に端子部をどのような形態とすれば、近時のニーズに対応し得るか、という点について検討することが肝要である。
【０００７】
例えば、図６の比較例１に示すように、端子台本体１１６の上面部１１６ｂと下側の把持爪１１８ａの下端面との距離が小さ過ぎると、特に、下側の把持爪１１８ａの下端面から軸部１１４に移行する移行部１１２ａにＲが設けられている場合には、成形によるバリが発生しやすくなり、寸法精度がより厳しくなり、また、金型の寿命が短くなる等の問題が発生し好ましくないので、端子台本体１１６の上面部１１６ｂと下側の把持爪１１８ａの下端面との距離を大きくとることが望まれる。
【０００８】
しかしながら、近年、特に車載用電子部品等については、コンパクト化に対する要請が強く、端子台本体２１６の上面部２１６ｂと下側の把持爪２１８ａの下端面との距離を長くすべく、クリップ端子２１２を端子台本体２１６から引き上げること（図７の比較例２を参照）は、現実的な解決手法とは言えない。
【０００９】
本発明は、このような事情に鑑みなされたもので、モールド成形により端子台を形成する場合において、バリが発生しにくく、寸法精度を緩和することができ、さらに、金型の短寿命化を避けることができるとともに、端子台全体として、コンパクト化の要求にも対応し得る磁性部品の端子台、およびこの端子台を成形する金型装置を提供することを目的とするものである。
【課題を解決するための手段】
【００１０】
上記課題を解決するため、本発明に係る、磁性部品の端子台および金型装置は、以下の特徴を備えている。
本発明に係る磁性部品の端子台は、
筒状ボビン周りに巻回されたコイルが接続され、相手側端子部との電気的接続を行う導電性端子部と、該筒状ボビンの上側鍔部に配設されて該導電性端子部の軸部を保持する軸固定部の周りにモールド成形により樹脂剤が注入されてなる端子台本体とを備えた磁性部品の端子台において、
該導電性端子部は、前記相手側端子部との接続構造を有する上部のコネクタ部が、下部の前記軸部と、直交する前方向に突出し全体としてＬ字形状に形成され、前記コネクタ部の下端面と前記軸部の前側平面部との角部にＲがつけられてなり、
前記導電性端子部と前記端子台本体とは、該端子台本体が、前記コネクタ部突出側の前面において前記端子台本体の上面部から一段低くなるように段差が設けられて、該段差の前記端子台本体の上面部に続く前面に、前記導電性端子部の前記軸部の角部に続く前記軸部の前側平面部が露出し、この露出した前側平面部の側面および背面が前記端子台本体の注入された前記樹脂剤で覆われて一体的に形成されてなることを特徴とするものである。
【００１１】
この場合において、前記軸部の前記露出する部分が、前記コネクタ部の下端面と前記軸部の表面とにより形成される角部、およびこの角部に続く平面部を含むことが好ましい。
また、前記コネクタ部は、それぞれ、互いに離れる方向に弾性変形して、対応する前記相手側端子部を互いの間に挟む一対の挟み片を備えていることが好ましい。
【００１２】
さらに、本発明に係る金型装置は、
請求項１に記載の磁性部品の端子台のモールド成形に用いる金型装置であって、
上型と下型が接離移動する金型入れ子部材と、該金型入れ子部材の移動方向と直交方向に移動するスライド金型部材とで構成され、その内部に、上部のコネクタ部にＲがつけられた角部を介して下部の軸部とが連結して全体としてＬ字形状に形成された導電性端子部を、その軸部を上側鍔部の軸固定部に挿入保持した筒状ボビンとともに収容し、前記導電性端子部の軸部を含む前記軸固定部の周りに樹脂剤を注入して前記導電性端子部と端子台本体とを一体的にモールド成形するものであり、
前記端子台本体は前記コネクタ部突出側の前面において上面部から一段低くなるように段差を有し、該段差の前記端子台本体の上面部に続く前面に、前記導電性端子部の前記軸部の角部に続く前側平面部が露出し、この露出した前側平面部の側面および背面を前記端子台本体の注入された前記樹脂剤で覆うように成形するについて、前記スライド金型部材は、前記端子台本体の前記段差形状に対応する形状の金型面を有し、さらにこの金型面は前記導電性端子部の前記角部から軸部の露出した前記前側平面部に当接する押圧面を備え、前記コネクタ部の突出方向と平行な方向に往復動するように構成されてなることを特徴とするものである。
【発明の効果】
【００１３】
本発明に係る磁性部品の端子台によれば、モールド成形により、端子台本体が、コネクタ部突出側において一段低くなるように段差が設けられ、これによって、導電性端子部の軸部の直線部分（正確には平面部分：以下同じ）が、コネクタ部突出側において、上下の長い範囲に亘って露出するように形成される。
【００１４】
このように、導電性端子部の軸部の直線部分が、コネクタ部突出側において、上下の長い範囲に亘って露出するように構成されているので、モールド成形時に軸部の直線部分に対して、スライド金型の対応部分を確実に密着させながら押圧することが可能となる。すなわち、上下の長い範囲に亘って軸部の直線部分にスライド金型を押し当てることができるので、樹脂のバリ等が発生しにくくなり、管理する寸法精度を緩和することができ、さらに金型の短寿命化を避けることができる。
【００１５】
しかも、コネクタ部突出側以外の方向においては、コネクタ部の下方把持部の下端部から前記軸部に移行する角部領域が問題となる虞がなく、軸部の露出は最小限で良いことから、導電性端子部の軸部を端子台本体から上方に引き上げなくともよいので、端子台全体として、コンパクト化の要求にも対応することができる。
【００１６】
なお、コネクタ部の下方把持部の下端部から前記軸部に移行する角部にＲがつけられているときには、この導電性端子部のＲ部を、金型の対応Ｒ部と、確実に一致させることが難しいので、上述したような本発明の効果は、より有効なものとなる。
【００１７】
また、本発明に係る金型によれば、少なくとも前記コネクタ部突出方向と平行な方向に往復動するスライド金型部材を用いて、上述したいずれかの磁性部品の端子台をモールド成形するように構成されているので、バリが発生しにくく、寸法精度をより緩和することが可能となり、また、金型の短寿命化を避けることができるとともに、端子台全体として、コンパクト化の要求にも対応することができ、製造時の労力およびコストの軽減を図ることができる。
【図面の簡単な説明】
【００１８】
【図１】本発明の実施例に係る磁性部品の端子台を示す前側から見た斜視図である。
【図２】本発明の実施例に係る磁性部品の端子台を示す後側から見た斜視図である。
【図３】本発明の実施例に係る磁性部品の端子台を示す側面図である。
【図４】図１〜図３の端子台を成形する金型の一部を示す概略図（（Ａ）は比較例１、（Ｂ）は実施例）である。
【図５】図４の金型を用いて成形された端子台の形状を示す概略図（（Ａ）は比較例１、（Ｂ）は実施例）である。
【図６】比較例１に係る磁性部品の端子台を示す前側斜視図である。
【図７】比較例２に係る磁性部品の端子台を示す前側斜視図である。
【発明を実施するための形態】
【００１９】
以下、本発明に係る磁性部品の端子台および金型の実施例について、上記図面を参照しながら詳細に説明する。
なお、本実施例は、磁性部品として車載用ソレノイドを例に挙げて説明するものであり、この車載用ソレノイドに外部からの電力を供給するための端子部（図１〜３に示す端子台２０）に関するものである。具体的には、例えば、自動変速機の油圧制御を行うためのスプールバルブを駆動するリニアソレノイドに適用するものであるが、他の車載用ソレノイドに適用してもよいし、車載用ソレノイド以外の他の磁性部品に適用してもよい。
【００２０】
〈端子台の構成〉
本発明の一実施例に係る磁性部品の端子台２０は、図１〜３に示すように、クリップ端子１２と端子台本体１６とからなる。
クリップ端子１２（導電性端子部）は、円筒状のボビン（コイルが巻回されたもの：以下同じ）１０の周りに巻回されたコイル１０ｃの端部が接続され（接続部は端子台本体１６内であり、図示されていない）、外部の所定の導体との電気的接続を行うコネクタ部１８と、端子台本体１６に挿入される軸部１４とを、互いに直交する方向に配し全体としてＬ字形状に一体形成されてなる。
【００２１】
また、コネクタ部１８の下側の把持爪１８ａの下端面から軸部１４表面へ移行する角部（移行部１２ａ）には、Ｒがつけられている。
この移行部１２ａにＲがつけられているのは、以下の理由による。すなわち、このようなクリップ端子１２はプレス成形により打ち抜かれて形成されるが、この打ち抜き作業時に、角部にＲをつけていないと、クリップ端子のプレス金型のＲ部にダレが発生し易くなることから、そのため、この角部（移行部１２ａ）にＲをつけ、なだらかなカーブを設けて、ピンポイントで力が加わらないように形成している。
【００２２】
なお、ボビン１０は、例えば車載用ソレノイドに係るコイル巻回用のボビンであって、中心部分に貫通孔である中央孔１０ａが設けられており、外部からコイル１０ｃに供給される電流に応じて、可動鉄芯がこの中央孔１０ａに吸い寄せられ、いわゆる、ｐｕｌｌソレノイドとして機能する。
【００２３】
また、端子台本体１６は、上記コネクタ部１８の突出側（前側）において、上面部１６ｂから一段低くなるように段部１６ａ（段差）が設けられ、軸部１４の平面部１４ａが、コネクタ部１８の突出側（前側）において、上下の所定範囲に亘って露出するように形成されている。
【００２４】
また、クリップ端子１２の各コネクタ部１８は、それぞれ、互いに離れる方向に弾性変形して、対応する所定の導体を互いの間に挟む一対の把持爪（挟み片）１８ａ、１８ｂを備えている。
【００２５】
これら一対の把持爪１８ａ、１８ｂの先端部には、互いに対向する位置に凸部１８ｃが設けられており、コネクタ部１８の先端部において、対応する相手側端子を弾性力をもって容易に把持することができるようになっている。
ここで、対応する相手側端子とは、ボビン１０に電流を供給するための導電性端子であり、コネクタ部１８は、種々の形状の相手側端子と簡易かつ確実に結合することができる。
本実施例においては、このクリップ端子１２と端子台本体１６とが、モールド成形を用いて一体的に形成されるようになっている。
【００２６】
このように、本発明の実施例に係る端子台によれば、モールド成形を用いて形成されるので、従来のように、端子台本体１６とクリップ端子１２を締結したり、端子台本体１６内にクリップ端子１２を、嵌入する処理を行ったりして、クリップ端子１２を端子台本体１６に固定する処理が不要となり、また、両者の相対的な位置関係を確実に維持することが可能となる。これにより、迅速かつ高精度に端子台を作成することが可能となる。
【００２７】
〈金型装置の構成〉
図４（Ｂ）に示すように、本発明の実施例に係る金型３０は、端子設置／樹脂注入部３３と、この端子設置／樹脂注入部３３の左右方向に往復動を行なうスライド金型３４ａと、金型入れ子（上型３４ｃが上下動するのに対して下型３４ｄは固定とされ、モールド成形時には、図示する位置において互いに当接した状態とされる。）３４ｂを備えている。
【００２８】
金型３０内の端子設置／樹脂注入部３３において、クリップ端子１２の軸部１４の根元部１４ｂが、ボビン１０の上部に続く軸固定部３２に嵌入された状態で設置され、その周りに樹脂剤が注入され、端子設置／樹脂注入部３３までスライド金型３４ａがスライドしてきて、左右方向には固定とされていると金型入れ子３４ｂとの間に挟持するようにして、クリップ端子１２と端子台本体１６とのモールド成形が行なわれる。
なお、ボビン１０についての成形処理については図４（Ｂ）に明確に示されていないが、この端子台２０のモールド成形に先立って行われる。すなわち、下型に、コイル１０ｃが巻回されたボビン１０全体を収納し、この収納されたボビン１０の周りの外表面に樹脂剤がオーバーコートされるような処理が行われる。
【００２９】
〈本実施例の特徴構成〉
ところで、本実施例のようにモールド成形を用いて端子台本体１６とクリップ端子１２とを一体的にモールド成形すると、多くの利点を享受し得る。その一方、本実施例のように、コネクタ部１８の下側の把持爪１８ａの下端面から軸部１４表面へ移行する角部（移行部１２ａ）に、Ｒがつけられている場合において、図６の比較例１に示すように（図６に示す各部材は、対応する図１に示す部材の符号に１００を加えた符号を付して表されている。図４（Ａ）および図５（Ａ）において同じ。）、端子台本体１１６の上面部１１６ｂと下側の把持爪１１８ａの下端面との距離が小さ過ぎると、成形によってバリが発生しやすく、寸法精度がより厳しくなり、また、金型の寿命が短くなる等の問題が発生し好ましくない。
【００３０】
しかし、図７に示す比較例２のように（図７に示す各部材については、対応する図１に示す部材の符号に２００を加えた符号を付して表されている。）、端子台本体２１６の上面部２１６ｂと下側の把持爪２１８ａの下端面との距離を大きくするために、クリップ端子２１２全体を端子台本体２１６から引き上げた状態とすると、端子台２２０全体の背高が大きくなり、部品のコンパクト化の要請に反することになる。
【００３１】
そこで、本実施例においては、図１〜図３に示すように、端子台本体１６の前側（コネクタ部１８が向く方向）が一段低くなる段部１６ａを設け、軸部１４の前側においてのみ、上下の所定長に亘って平面部１４ａが露出するように構成している。
【００３２】
すなわち、この前側には、下側の把持爪１８ａの下端面から軸部１４の表面へ移行するＲをつけた移行部１２ａのみならず、その移行部１２ａに続く平面部１４ａが露出する形状とされており、モールド成形時において、軸部１４が、移行部１２ａと平面部１４ａの広い範囲に亘ってスライド金型３４ａと接触し、この軸部１４を端子設置／樹脂注入部３３に注入された樹脂剤とともに押圧する。
【００３３】
また、軸部１４は、移行部１２ａのみならず、平面的に延びる平面部１４ａにおいても、スライド金型３４ａに密着して広い範囲で押圧されるため、移行部１２ａのみの狭い範囲で押圧していた比較例１、２と比べて、成形時のバリが発生しにくくなり、また、移行部１２ａのＲの部分ではなく平面部１４ａの平面を基準として金型を設計すればよくなるので、寸法精度を大幅に緩和することができる。
【００３４】
また、スライド金型３４ａが、軸部１４の、移行部１２ａと平面部１４ａの広い範囲に亘って突き当てられることになるので、移行部１２ａのみの狭い範囲で突き当てられていた比較例１、２のものと比べると、突き当たる際の押圧力が分散し、金型の長寿命化を図ることができる。
【００３５】
上述したことを、図４および図５を用いて説明する。比較例１を示す図４（Ａ）と、実施例を示す図４（Ｂ）とを比較すると、比較例１では端子設置／樹脂注入部１３３が単純な矩形状をなしているために、スライド金型１３４ａが、上方のＲつき角部（クリップ端子１１２の移行部１１２ａに対応する）のみでクリップ端子１１２に突き当てられる状態となっている。これに対して、本実施例においては、端子設置／樹脂注入部３３において、図中左上方の角部に段差が設けられるように切り欠かれた形状とされているために、スライド金型３４ａが、図中右上方のＲつき角部およびそれに続く先端平面部（クリップ端子１２の移行部１２ａおよび平面部１４ａに対応する）の広い領域でクリップ端子１２に突き当てられる状態となっている。
【００３６】
このため、スライド金型３４ａが、クリップ端子１２に突き当てられる領域の高さ（面積）は、両者において大きく異なる。
【００３７】
図５は、この両者の差を示すものである。比較例１を示す図５（Ａ）と、実施例を示す図５（Ｂ）とを比較すると、スライド金型３４ａ、１３４ａが、クリップ端子１２、１１２に突き当てられる領域の高さは、比較例１ではＰとなり、一方、実施例ではＱとなる。Ｐに対してＱは、例えば２倍程度となり（対比面積も同様）、また、本実施例においては、スライド金型３４ａが、軸部１４の平面部１４ａにおいても突き当てられているので、上述したように、バリが発生しにくい、寸法精度を緩和することができる、金型の長寿命化を図ることができる、等の種々の有用な効果を奏することができる。
【００３８】
また、上述した前側以外の３方向においては、上述したような段部１６ａは設けられておらず、ボビン１０の上面部１０ａから下側の把持爪１８ａの下端面までの距離は、比較例１と同様とされているので、前述した図７に示す比較例２のように、端子台２０全体としてコンパクト化の要請に反する虞もない。
【００３９】
〈変更態様〉
以上、本発明の実施例について説明したが、本発明は上述の実施例に態様が限定されるものではなく、種々に態様を変更することが可能である。
【００４０】
例えば、上述の実施例においては、導電性端子としてクリップ端子を用いているが、導電性端子としてはこれに限られるものではなく、例えば、コイルの絡げ端子等の他の入出力端子を用いるようにしてもよい。
【００４１】
また、上述の実施例においては、クリップ端子のコネクタ部形状として把持爪を２つ対向させたものを用いているが、このコネクタ部形状としては、軸部に対して直交する方向に延び、このコネクタ部の下端面と軸部とが略直交して角部が形成されるような形状を構成するものであれば、種々の形状をとり得る。また、この角部にＲがついている場合に特に有効である。
【００４２】
また、コネクタ部の数としては、上述した実施例に示すように２つに限られるものではなく、１つであってもよいし、３つ以上の数であってもよい。
また、端子台本体の形状としても上述した実施例に記載のものに限られるものではなく、要は、導電性端子の前側（コネクタ部の突出する方向）に段差が設けられて、この段差によって、導電性端子の前側部分が上下に大きく露出するように構成されるものであればよい。例えば、段差は端子台の幅方向の広い範囲に亘って設けずともよく、導電性端子の軸部の対応部分をスリット状に狭い幅で切り欠くようにしてこの軸部を上下方向に露出させるようにしてもよい。
【００４３】
また、本発明の金型としても、上記実施例のものに限られるものではなく、種々の態様の変更が可能である。例えば、上述した端子台の変更態様に対応させるように、端子台の軸部対応部分をスリット状に切り欠いてこの軸部を上下方向に露出させるように成形し得るスライド金型形状を備えるようにしてもよい。
【符号の説明】
【００４４】
１０、１１０、２１０      ボビン（巻回コイルつき）
１０ａ、１１０ａ、２１０ａ      中央孔
１０ｂ、１１０ｂ、２１０ｂ      鍔部
１０ｃ、１１０ｃ、２１０ｃ      コイル
１２、１１２、２１２      クリップ端子
１２ａ、１１２ａ、２１２ａ      移行部
１４、１１４、２１４      軸部
１４ａ      平面部
１４ｂ、  １１４ｂ    根元部
１６、１１６、２１６      端子台本体
１６ａ      段部
１６ｂ、１１６ｂ、２１６ｂ      上面部
１８、１１８、２１８      コネクタ部（導電性端子部）
１８ａ、１８ｂ、１１８ａ、１１８ｂ、２１８ａ、２１８ｂ      把持爪
１８ｃ、１１８ｃ、２１８ｃ      凸部
２０、１２０、２２０      端子台
３０、１３０      金型
３２、１３２      軸固定部
３３、１３３      端子設置／樹脂注入部
３４ａ、１３４ａ      スライド金型
３４ｂ、１３４ｂ      金型入れ子
３４ｃ、１３４ｃ      上型
３４ｄ、１３４ｄ      下型
【図１】
0006405873.tif 000002
【図２】
0006405873.tif 000003
【図３】
0006405873.tif 000004
【図４】
0006405873.tif 000005
【図５】
0006405873.tif 000006
【図６】
0006405873.tif 000007
【図７】
0006405873.tif 000008